(57)【特許請求の範囲】
【請求項１】
ユーザにより接触操作されるタッチパネルを備える表示装置であって、
動画像を再生する再生手段と、
前記再生手段による動画像の再生時間を、所定の時間を表す単位により表示手段に表示する制御を行う表示制御手段と、
前記タッチパネル上の前記表示手段に表示されている前記再生時間に対応する部分がユーザにより接触操作されると、前記再生時間の表示に係る所定の時間を表す単位を基準として、前記再生手段による動画像の再生速度を制御する再生制御手段と、
を備えることを特徴とする表示装置。
【請求項２】
所定の時間を表す単位は、時、分、秒及び秒を１０のべき乗で除する単位のうちの少なくとも一を含み、
前記再生制御手段は、前記再生時間の表示に係る時、分、秒及び秒を１０のべき乗で除する単位のうちの少なくとも一の単位に応じた再生速度で動画像を再生するように前記再生手段を制御することを特徴とする請求項１に記載の表示装置。
【請求項３】
前記タッチパネル上のユーザによる接触位置が、前記再生時間の表示に係る時、分、秒及び秒を１０のべき乗で除する単位のうちの何れの単位に対応するかを判別する判別手段を更に備え、
前記再生制御手段は、前記判別手段により判別された時、分、秒及び秒を１０のべき乗で除する単位のうち、前記タッチパネル上のユーザによる接触位置が対応する単位に応じた再生速度で動画像を再生するように前記再生手段を制御することを特徴とする請求項２に記載の表示装置。
【請求項４】
前記表示制御手段は、前記再生時間を、数字を用いて前記表示手段に表示させ、
前記タッチパネル上のユーザによる直線状のスライド操作の態様を特定する第１特定手段を更に備え、
前記再生制御手段は、前記第１特定手段により特定された前記直線状のスライド操作の態様及び前記再生時間の表示に係る所定の時間を表す単位に基づいて、前記再生手段による動画像の再生速度を制御することを特徴とする請求項１〜３の何れか一項に記載の表示装置。
【請求項５】
前記第１特定手段は、前記直線状のスライド操作のスライド速度及びスライド量のうちの少なくとも一方を特定し、
前記再生制御手段は、前記第１特定手段により特定された前記直線状のスライド操作のスライド速度及びスライド量のうちの少なくとも一方に基づいて、前記再生手段による動画像の再生速度を制御することを特徴とする請求項４に記載の表示装置。
【請求項６】
前記第１特定手段は、前記直線状のスライド操作のスライド方向を特定し、
前記再生制御手段は、前記第１特定手段により特定された前記直線状のスライド操作のスライド方向に基づいて、前記再生手段による動画像の再生方向を制御することを特徴とする請求項４又は５に記載の表示装置。
【請求項７】
前記表示制御手段は、前記第１特定手段により特定される前記直線状のスライド操作の態様に応じて前記再生制御手段により制御される動画像の再生速度に追随して、前記再生時間の表示を制御することを特徴とする請求項４〜６の何れか一項に記載の表示装置。
【請求項８】
前記表示制御手段は、前記再生時間を、回転体の回転角度を用いて前記表示手段に表示させ、
前記タッチパネル上のユーザによる円弧状のスライド操作の態様を特定する第２特定手段を更に備え、
前記再生制御手段は、前記第２特定手段により特定された前記円弧状のスライド操作の態様及び前記再生時間の表示に係る所定の時間を表す単位に基づいて、前記再生手段による動画像の再生速度を制御することを特徴とする請求項１〜３の何れか一項に記載の表示装置。
【請求項９】
前記第２特定手段は、前記円弧状のスライド操作の角速度及び角度の変化量のうちの少なくとも一方を特定し、
前記再生制御手段は、前記第２特定手段により特定された前記円弧状のスライド操作の角速度及び角度の変化量のうちの少なくとも一方に基づいて、前記再生手段による動画像の再生速度を制御することを特徴とする請求項８に記載の表示装置。
【請求項１０】
前記第２特定手段は、前記円弧状のスライド操作のスライド方向を特定し、
前記再生制御手段は、前記第２特定手段により特定された前記円弧状のスライド操作のスライド方向に基づいて、前記再生手段による動画像の再生方向を制御することを特徴とする請求項８又は９に記載の表示装置。
【請求項１１】
前記表示制御手段は、前記第２特定手段により特定される前記円弧状のスライド操作の態様に応じて前記再生制御手段により制御される動画像の再生速度に追随して、前記再生時間の表示を制御することを特徴とする請求項８〜１０の何れか一項に記載の表示装置。
【請求項１２】
前記再生制御手段は、更に、前記タッチパネル上のユーザによるスライド操作の終了後、このスライド操作が終了した時点の再生速度を維持して動画像を再生するように前記再生手段を制御することを特徴とする請求項４〜１１の何れか一項に記載の表示装置。
【請求項１３】
前記再生手段は、異なる撮像フレームレートで撮影された動画像を再生可能に構成され、
前記表示制御手段は、前記再生手段による動画像の再生時間を、この動画像の撮像フレームレートに応じて所定の時間を表す単位を異ならせて前記表示手段に表示する制御を行うことを特徴とする請求項１〜１２の何れか一項に記載の表示装置。
【請求項１４】
前記再生制御手段は、前記タッチパネル上のユーザによる接触操作が同じであっても、前記再生時間の表示に係る所定の時間を表す単位に応じて異なる再生速度で動画像を再生するように前記再生手段を制御することを特徴とする請求項１〜１３の何れか一項に記載の表示装置。
【請求項１５】
ユーザにより接触操作されるタッチパネルを備える表示装置を用いた表示方法であって、
動画像を再生する処理と、
動画像の再生時間を、所定の時間を表す単位により表示手段に表示する制御を行う処理と、
前記タッチパネル上の前記表示手段に表示されている前記再生時間に対応する部分がユーザにより接触操作されると、前記再生時間の表示に係る所定の時間を表す単位を基準として、動画像の再生速度を制御する処理と、
を含むことを特徴とする表示方法。
【請求項１６】
ユーザにより接触操作されるタッチパネルを備える表示装置のコンピュータに、
動画像を再生する機能と、
動画像の再生時間を、所定の時間を表す単位により表示手段に表示する制御を行う機能と、
前記タッチパネル上の前記表示手段に表示されている前記再生時間に対応する部分がユーザにより接触操作されると、前記再生時間の表示に係る所定の時間を表す単位を基準として、動画像の再生速度を制御する機能と、
を実現させることを特徴とするプログラム。
【発明の詳細な説明】
【技術分野】
【０００１】
本発明は、表示装置、表示方法及びプログラムに関する。
【背景技術】
【０００２】
従来、ユーザが動画再生における早送り、巻き戻し、スロー再生といった速度調整を行うことができるように操作子を備える表示装置が知られている。しかしながら、操作子は動画像の表示部とは別に設けられており、表示装置の小型化の妨げになるという問題があった。
そこで、タッチパネル上におけるスライド操作の方向と速度とにより、動画像の再生速度を制御する技術（例えば、特許文献１参照）や、ユーザがタッチパネル上の位置と再生速度の関係を識別可能となるように動画像の表示に半透過で複数の再生速度を表示する技術（例えば、特許文献２参照）が開示されている。
【先行技術文献】
【特許文献】
【０００３】
【特許文献１】特開２００４−１０４５９４号公報
【特許文献２】特開２０１０−１７６５７５号公報
【発明の概要】
【発明が解決しようとする課題】
【０００４】
しかしながら、上記特許文献等の場合、再生速度の種類を増やしたものの、どの再生速度を選択すると所望する再生速度となるかが分かり難いという問題がある。
【０００５】
本発明は、このような問題に鑑みてなされたものであり、本発明の課題は、動画像の再生速度の変更度合をユーザに把握させ易くすることができる表示装置、表示方法及びプログラムを提供することである。
【課題を解決するための手段】
【０００６】
上記課題を解決するための本発明の一態様は、
ユーザにより接触操作されるタッチパネルを備える表示装置であって、
動画像を再生する再生手段と、
前記再生手段による動画像の再生時間を、所定の時間を表す単位により表示手段に表示する制御を行う表示制御手段と、
前記タッチパネル上の前記表示手段に表示されている前記再生時間に対応する部分がユーザにより接触操作されると、前記再生時間の表示に係る所定の時間を表す単位を基準として、前記再生手段による動画像の再生速度を制御する再生制御手段と、
を備えることを特徴としている。
【発明の効果】
【０００７】
本発明によれば、動画像の再生速度の変更度合をユーザに把握させ易くすることができる。
【図面の簡単な説明】
【０００８】
【図１】本発明を適用した実施形態１の表示装置の概略構成を示すブロック図である。
【図２】図１の表示装置による再生処理に係る動作の一例を示すフローチャートである。
【図３】図２の再生処理における動画像の再生画面の一例を模式的に示す図である。
【図４】図３の再生画面中の再生時間表示画像の一例を拡大して示す図である。
【図５】本発明を適用した実施形態２の表示装置の概略構成を示すブロック図である。
【図６】図５の表示装置による再生処理に係る動作の一例を示すフローチャートである。
【図７】図６の再生処理における動画像の再生画面の一例を模式的に示す図である。
【発明を実施するための形態】
【０００９】
以下に、本発明について、図面を用いて具体的な態様を説明する。ただし、発明の範囲は、図示例に限定されない。
【００１０】
［実施形態１］
図１は、本発明を適用した実施形態１の表示装置１００の概略構成を示すブロック図である。
図１に示すように、実施形態１の表示装置１００は、具体的には、中央制御部１と、メモリ２と、画像記録部３と、表示部４と、操作入力部５と、動作処理部６とを備えている。
また、中央制御部１、メモリ２、画像記録部３、表示部４、操作入力部５及び動作処理部６は、バスライン７を介して接続されている。
【００１１】
中央制御部１は、表示装置１００の各部を制御するものである。具体的には、中央制御部１は、図示は省略するが、ＣＰＵ（Central Processing Unit）等を備え、表示装置１００用の各種処理プログラム（図示略）に従って各種の制御動作を行う。
【００１２】
メモリ２は、例えば、ＤＲＡＭ（Dynamic Random Access Memory）等により構成され、中央制御部１、動作処理部６等によって処理されるデータ等を一時的に格納する。
【００１３】
画像記録部３は、例えば、ＳＳＤ（Solid State Drive）等から構成され、図示しない画像処理部により所定の圧縮形式（例えば、ＪＰＥＧ形式、ＭＰＥＧ形式等）で符号化された静止画像や動画像の画像データを記録する。
なお、画像記録部３に記録されている画像データは、当該表示装置１００の図示しない撮像部により撮影されたものであっても良いし、外部の撮像装置（図示略）により撮影された後、当該表示装置１００に転送されて画像記録部３に記録されたものであっても良い。
また、画像記録部３は、例えば、記録媒体（図示略）が着脱自在に構成され、装着された記録媒体からのデータの読み出しや記録媒体に対するデータの書き込みを制御する構成であっても良い。
また、ネットワークに接続されている所定のサーバ装置の記憶領域（図示略）、から通信機能（図示略）を介して、データの読み出しや記録領域に対するデータの書き込みを制御する構成であっても良い。
【００１４】
表示部４は、表示パネル４ａの表示画面に画像を表示する。
すなわち、表示部４は、図示しない画像処理部により復号された所定サイズの画像データに基づいて、所定の画像を表示パネル（表示手段）４ａの表示画面に表示する。また、表示部４は、後述するように、動作処理部６の第１再生制御部６ｅ（後述）の制御下にて、動画像を構成する複数のフレーム画像を表示パネル４ａの表示画面に表示する。
なお、表示パネル４ａは、例えば、液晶表示パネルや有機ＥＬ（Electro-Luminescence）表示パネル等から構成されているが、一例であってこれらに限られるものではない。
【００１５】
操作入力部５は、当該表示装置１００の所定操作を行うためのものである。具体的には、操作入力部５は、電源のＯＮ／ＯＦＦ操作に係る電源ボタン、各種のモードや機能等の選択指示に係る選択決定ボタン等（何れも図示略）を備えている。
そして、ユーザにより各種ボタンが操作されると、操作入力部５は、操作されたボタンに応じた操作指示を中央制御部１に出力する。中央制御部１は、操作入力部５から出力され入力された操作指示に従って所定の動作（例えば、動画像の再生等）を各部に実行させる。
【００１６】
また、操作入力部５は、表示部４の表示パネル４ａと一体となって設けられたタッチパネル５ａを有している。
タッチパネル５ａは、表示パネル４ａの表示領域をなす表示画面に直接的若しくは間接的に接触するユーザの指（手）やタッチペン等の接触位置を検出する。すなわち、タッチパネル５ａは、例えば、表示パネル４ａの表示画面上或いは当該表示画面よりも内側に設けられ、静電容量方式、抵抗膜方式、超音波表面弾性波方式等の各種方式により、表示画面上における接触位置のＸＹ座標を所定のサンプリング周期で検出する。そして、タッチパネル５ａは、接触位置のＸＹ座標に係る位置信号を動作処理部６に出力する。
【００１７】
動作処理部６は、再生部６ａと、第１表示制御部６ｂと、判別部６ｃと、第１特定部６ｄと、第１再生制御部６ｅとを具備している。
なお、動作処理部６の各部は、例えば、所定のロジック回路から構成されているが、当該構成は一例であってこれに限られるものではない。
【００１８】
再生部（再生手段）６ａは、動画像を再生する。
すなわち、再生部６ａは、再生対象の動画像を構成する複数のフレーム画像を所定の再生フレームレート（例えば、30fps等）で表示部４の表示パネル４ａに表示させる。具体的には、再生部６ａは、例えば、ＶＲＡＭ（Video Random Access Memory）、ＶＲＡＭコントローラ、デジタルビデオエンコーダなど（何れも図示略）を備えている。デジタルビデオエンコーダは、図示しない画像処理部により復号されてＶＲＡＭに記録されている複数のフレーム画像の輝度信号Ｙ及び色差信号Ｃｂ，Ｃｒを、ＶＲＡＭコントローラを介してＶＲＡＭから所定の再生フレームレート（例えば、30fps）で読み出す。そして、デジタルビデオエンコーダは、読み出したデータを元にビデオ信号を発生して表示部４に出力し、表示パネル４ａに表示させる。
【００１９】
第１表示制御部６ｂは、再生中の動画像の再生時間を表示パネル４ａに表示させる。
すなわち、第１表示制御部（表示制御手段）６ｂは、再生部６ａにより再生されている動画像の再生時間を、所定の時間を表す単位（例えば、「時」、「分」、「秒」及び「1/100秒」等）により表示パネル４ａに表示する制御を行う。具体的には、第１表示制御部６ｂは、再生部６ａによる動画像の再生が開始されてから経過した時間を再生時間として再生部６ａから取得する。そして、第１表示制御部６ｂは、取得した再生時間を所定の時間を表す単位毎に数字を用いて表した再生時間表示画像Ｅ１の画像データを表示部４に出力し、表示パネル４ａの所定位置（例えば、右下等）にＯＳＤ（On-screen display）表示させる（図３等参照）。
ここで、所定の時間を表す単位には、「時（h）」、「分（min）」、「秒（s）」及び「1/100秒（s）」のうちの少なくとも一が含まれる。また、「1/100秒（s）」については、再生時間表示画像Ｅ１の視認性や後述する再生処理におけるユーザによるタッチパネル５ａの操作性等を考慮して、「秒（s）」を１０のべき乗で除算した単位であり、「1/100秒」以外にも、例えば、「1/10秒」や「1/1000秒」等であっても良い。
例えば、図３中の再生時間表示画像Ｅ１では、「時」、「分」、「秒」、「1/100秒」を単位とし、単位どうしをコロン「:」で区切って横書きしており、動画像の再生時間として「1時間0分22秒00」を表している。
なお、表示パネル４ａにおける再生時間表示画像Ｅ１の表示位置は、一例であってこれに限られるものではなく、適宜任意に変更可能である。
【００２０】
また、第１表示制御部６ｂは、再生対象の動画像の再生時間を、この動画像の撮像フレームレートに応じて所定の時間を表す単位を異ならせて表示パネル４ａに表示させても良い。具体的には、第１表示制御部６ｂは、再生部６ａにより再生される動画像が撮影された際の撮像フレームレートを取得する。そして、第１表示制御部６ｂは、取得された動画像の撮像フレームレートが、例えば、1000fpsの場合には、「秒」、「1/10秒」、「1/100秒」、「1/1000秒」の各単位で表された再生時間表示画像Ｅ１とし、また、120、240、480fpsの場合には、「分」、「秒」、「1/10秒」、「1/100秒」の各単位で表された再生時間表示画像Ｅ１とし、また、30fpsの場合には、「時」、「分」、「秒」、「1/100秒」の各単位で表された再生時間表示画像Ｅ１とする。
【００２１】
また、後述するように、タッチパネル５ａ上の表示パネル４ａに表示されている再生時間表示画像Ｅ１の所定の時間を表す単位に対応する部分がユーザにより接触操作されると、第１表示制御部６ｂは、判別部６ｃにより判別されたユーザにより接触操作された単位（例えば、「秒」）を識別可能に表示パネル４ａに表示させる。具体的には、第１表示制御部６ｂは、単位（例えば、「秒」）の数字の表示領域にドラムロールＤｓを表示させる（図４（ａ）参照）。
このドラムロールＤｓは、動画像を送り再生する際にユーザにより接触操作される操作子として機能する。具体的には、ドラムロールＤｓには、所定の時間を表す単位に応じた数字が所定の間隔Ｙnumber（px）で配置されている。例えば、「時」の単位に対応するドラムロール（図示略）には、「00」〜「99」（或いは、24時間を一日単位とする場合には、「23」）の数字が配置され、「分」の単位に対応するドラムロール（図示略）には、「00」〜「59」の数字が配置され、「秒」の単位に対応するドラムロールＤｓには、「00」〜「59」の数字が配置され、「1/10秒」の単位に対応するドラムロール（図示略）には、「00」〜「09」の数字が配置され、「1/100秒」の単位に対応するドラムロール（図示略）には、「00」〜「99」の数字が配置されている。各ドラムロールにおける数字の並びは、ドラムロールが所定方向（例えば、上方向）に回転した場合に、数字が大きくなるような配置となっている。
また、第１表示制御部６ｂは、ユーザにより接触操作された単位に対応するドラムロールを、ユーザによる直線状のスライド操作に応じて所定方向に擬似的に回転させるような制御を行う。
【００２２】
例えば、図４（ａ）に示すように、動画像の再生時間として「1時間0分22秒00」を表す再生時間表示画像Ｅ１の「秒」の単位に対応する数字「22」の表示領域がユーザにより接触操作されると、第１表示制御部６ｂは、数字「22」の前後の「21」及び「23」の数字が表されたドラムロールＤｓの一部分を表示パネル４ａに表示させる。そして、ユーザが接触状態を維持したまま上方向にスライド操作すると、第１表示制御部６ｂは、ドラムロールＤｓをスライド操作のスライド方向と同じ方向（上方向）に擬似的に回転させる。具体的には、第１表示制御部６ｂは、ドラムロールＤｓに配置されている「23」以降の数字「24」、…を下側から順次表示させるようにドラムロールＤｓをＸ方向の中心軸周りに回転表示させる（図４（ｂ）参照）。
このとき、第１表示制御部６ｂは、再生時間表示画像Ｅ１における、ユーザによりスライド操作されている単位（例えば、「秒」）以外の単位（例えば、「1/100秒」）の数字もスライド量に応じて変化させる。例えば、図４（ｂ）にあっては、「秒」の単位のドラムロールＤｓの数字が「23」となる直前までスライド操作されているため、再生時間表示画像Ｅ１の「1/100秒」の単位の数字が「99」となっている状態を模式的に表している。
【００２３】
なお、所定の時間を表す単位として例示したものは、一例であってこれらに限られるものではなく、例えば、監視カメラで撮影された映像などのように動画像の記録時間が長時間となるものの場合には、「日」、「週」、「月」、「年」等を用いても良い。
また、撮像フレームレートに応じて用いられる所定の時間を表す単位として例示したものは、一例であってこれらに限られるものではなく、適宜任意に変更可能である。
【００２４】
判別部６ｃは、再生時間表示画像Ｅ１におけるタッチパネル５ａ上のユーザによる接触位置が対応する単位を判別する。
すなわち、判別部（判別手段）６ｃは、タッチパネル５ａ上のユーザによる接触位置が、再生時間の表示に係る「時」、「分」「秒」及び「1/100秒」のうちの何れの単位に対応するかを判別する。具体的には、再生時間表示画像Ｅ１は、表示パネル４ａにおける表示位置が所定位置（例えば、右下等）に決められている場合、再生時間を表すのに用いられている各単位（例えば、「時」、「分」、「秒」、「1/100秒」等）の数字の表示領域もＸＹ座標が規定されている。例えば、図４（ａ）に示すように、ユーザによりタッチパネル５ａが接触操作されると、判別部６ｃは、タッチパネル５ａから出力された接触位置のＸＹ座標に係る位置信号を取得する。そして、判別部６ｃは、再生時間表示画像Ｅ１における各単位の数字の表示領域の中で、取得された接触位置のＸＹ座標に係る位置信号が含まれる領域（例えば、「22」の表示領域）を特定し、特定された領域に対応する単位（例えば、「秒」）を判別する。
【００２５】
第１特定部（第１特定手段）６ｄは、タッチパネル５ａ上のユーザによる直線状のスライド操作の態様を特定する。
ここで、直線状のスライド操作の態様としては、例えば、単位時間当たりのスライド量（画素数）であるスライド速度、スライド操作の開始から終了までのスライド量、ユーザによるタッチパネル５ａ上の接触位置の移動方向であるスライド方向等が挙げられる。例えば、横書きの再生時間表示画像Ｅ１では、所定の時間を表す単位に対応する数字がＸ方向に配置されるため、タッチパネル５ａ上のユーザによる直線状のスライド操作は、当該再生時間表示画像Ｅ１の長手方向（Ｘ方向）に略直行するＹ方向に沿って行われる（図４（ａ）及び図４（ｂ）参照）。
【００２６】
具体的には、表示パネル４ａに動画像が表示されている際に、ユーザによりタッチパネル５ａ上の再生時間表示画像Ｅ１に対応する部分が接触操作されると、第１特定部６ｄは、タッチパネル５ａから出力された接触位置を原点として、そのＸＹ座標に係る位置信号を取得するとともに、ユーザによりタッチパネル５ａが接触操作された時点の再生時間Ｔtouchを計時部（図示略）から取得する。そして、ユーザにより所定方向（例えば、上方向）のスライド操作が開始されると、第１特定部６ｄは、タッチパネル５ａから逐次出力された接触位置ＹpositionのＸＹ座標に係る位置信号を取得するとともに計時部からタッチパネル５ａが接触操作された時間を取得していき、単位時間当たりのスライド量（例えば、一秒間に移動した画素数）をスライド速度Ｖ（px/s）として算出する。
また、第１特定部６ｄは、タッチパネル５ａから逐次出力され、取得された接触位置ＹpositionのＸＹ座標に係る位置信号に基づいて、接触位置Ｙpositionの単位時間当たりのＹ方向の変位量を算出し、ユーザによるスライド操作のスライド方向が上方向であるのか下方向であるのかを特定する。
また、第１特定部６ｄは、タッチパネル５ａ上のユーザによる直線状のスライド操作の終了後（接触解除後）、最終的にユーザによりタッチパネル５ａが接触操作されていた接触位置を取得する。そして、第１特定部６ｄは、タッチパネル５ａ上のユーザによる直線状のスライド操作の開始から終了までのスライド量を算出する。
なお、Ｙ方向のスライド操作を例示したが、例えば、再生時間表示画像が縦書きされている場合には、Ｘ方向のスライド操作となり、この場合の接触位置は、Ｘpositionとなる。
【００２７】
第１再生制御部６ｅは、再生部６ａによる動画像の再生速度を制御する。
すなわち、第１再生制御部（再生制御手段）６ｅは、タッチパネル５ａ上の表示パネル４ａに表示されている再生時間表示画像Ｅ１に対応する部分がユーザにより接触操作されると、再生時間の表示に係る所定の時間を表す単位を基準として、再生部６ａによる動画像の再生速度を制御する。具体的には、第１再生制御部６ｅは、再生時間表示画像Ｅ１に係る「時」、「分」、「秒」及び「1/100秒」のうち、判別部６ｃにより判別されたタッチパネル５ａ上のユーザによる接触位置が対応する単位（例えば、「秒」等）に応じた再生速度で動画像を再生するように再生部６ａを制御する。つまり、第１再生制御部６ｅは、タッチパネル５ａ上のユーザによる接触操作の態様、例えば、スライド速度、スライド量、スライド方向等が同じであっても、再生時間の表示に係る所定の時間を表す単位に応じて異なる再生速度で動画像を再生するように再生部６ａを制御する。
ここで、再生速度の具体的な調整手法としては、例えば、再生フレームレートや間引き率の設定等が挙げられるが、再生フレームレートや間引き率の設定は、公知の技術であり、その詳細な説明は省略する。
【００２８】
具体的には、第１再生制御部６ｅは、タッチパネル５ａ上のユーザによる接触位置が対応する単位毎に、ユーザによりタッチパネル５ａ上が直線状にスライド操作されたときのスライド量に応じて再生部６ａによる動画像の再生を制御する。例えば、ドラムロールの所定の時間を表す単位に応じた数字の間隔Ｙnumber（px）を基準とすると、ユーザによるタッチパネル５ａ上の直線状のスライド操作のスライド量に対して送り再生される時間の比率α（s/px）は、単位が「時」では比率α＝3600/Ｙnumberとなり、単位が「分」では比率α＝60/Ｙnumberとなり、単位が「秒」では比率α＝1/Ｙnumberとなり、単位が「1/10秒」では比率α＝1/（10＊Ｙnumber）となり、単位が「1/100秒」では比率α＝1/（100＊Ｙnumber）となり、単位が「1/1000秒」では比率α＝1/（1000＊Ｙnumber）となる。そして、第１再生制御部６ｅは、ユーザによりタッチパネル５ａが接触操作された接触位置Ｙpositionに接触操作された単位に対応する比率αを乗算した値（α・Ｙposition）と、ユーザによりタッチパネル５ａが接触操作された時点の再生時間Ｔtouchとに基づいて、送り再生される時間を逐次算出する。
ここで、送り再生とは、通常の再生速度に対して高速或いは低速で順方向或いは逆方向に再生することを言い、例えば、「早送り」、「早戻し」、「遅送り」、「遅戻し」等が挙げられる。
【００２９】
また、第１再生制御部６ｅは、タッチパネル５ａ上のユーザによる接触位置が対応する単位毎に、ユーザによりタッチパネル５ａ上が直線状にスライド操作されたときのスライド速度に応じて再生部６ａによる動画像の再生を制御する。具体的には、第１再生制御部６ｅは、第１特定部６ｄにより逐次算出された単位時間当たりのスライド量であるスライド速度Ｖ（px/s）にユーザにより接触操作された単位に対応する比率αを乗算して、動画像を送り再生する際の再生速度α・Ｖを算出する。
また、第１再生制御部６ｅは、タッチパネル５ａ上のユーザによる直線状のスライド操作の終了後（接触解除後）、このスライド操作が終了した時点のスライド速度に応じた再生フレームレートで動画像が再生されるように当該動画像の再生を制御する。例えば、第１再生制御部６ｅは、最終的にユーザによりタッチパネル５ａが接触操作された時点で第１特定部６ｄにより算出されたスライド速度Ｖ（px/s）にユーザにより接触操作された単位に対応する比率αを乗算して、直線状のスライド操作の終了後（接触解除後）の動画像の再生速度α・Ｖを算出する。
なお、タッチパネル５ａ上のユーザによる直線状のスライド操作が終了した時点のスライド速度が０の場合、すなわち、ユーザがタッチパネル５ａ上の直線状のスライド操作を一旦停止してから指を離した場合、第１再生制御部６ｅは、このスライド操作が終了した時点で表示パネル４ａに表示されているフレーム画像を表示させたまま再生部６ａによる動画像の再生を一時停止させても良い。
【００３０】
また、第１再生制御部６ｅは、ユーザによりタッチパネル５ａ上が直線状にスライド操作されたときのスライド方向に応じて再生部６ａによる動画像の再生を制御する。
ここで、再生時間表示画像Ｅ１における各ドラムロールは、数字が大きくなる方向が動画像の時の流れる方向を表している。第１再生制御部６ｅは、ユーザによるタッチパネル５ａ上の直線状のスライド操作のスライド方向が、ドラムロールの数字が大きくなる方向、すなわち、上方向である場合には（図４（ｂ）参照）、動画像を順方向に送り再生するように再生部６ａを制御する。一方、第１再生制御部６ｅは、ユーザによるタッチパネル５ａ上の直線状のスライド操作のスライド方向が、ドラムロールの数字が小さくなる方向、すなわち、下方向である場合には、動画像を逆方向に送り再生するように再生部６ａを制御する。
【００３１】
なお、図示は省略するが、再生時間表示画像Ｅ１における各ドラムロールの数字の並びが、例えば、下から上に大きくなるような配置の場合には、第１再生制御部６ｅは、ユーザによるタッチパネル５ａ上のスライド操作のスライド方向が下方向の場合に、動画像を順方向に送り再生する一方で、スライド方向が上方向の場合に、動画像を逆方向に送り再生する。
【００３２】
＜再生処理＞
次に、表示装置１００による再生処理について、図２〜図４を参照して説明する。
図２は、再生処理に係る動作の一例を示すフローチャートである。また、図３は、再生処理における動画像の再生画面の一例を模式的に示す図である。また、図４（ａ）及び図４（ｂ）は、再生画面中の再生時間表示画像Ｅ１の一例を拡大して示す図である。
【００３３】
図２に示すように、先ず、画像記録部３に記録されている動画像のうち、ユーザによる操作入力部５の所定操作に基づいて再生対象となる動画像が指定されると、動作処理部６は、指定された動画像を画像記録部３から読み出して、図示しない画像処理部により復号された動画像を構成する複数のフレーム画像を表示部４に出力し、再生部６ａは、表示パネル４ａに表示される動画像を所定の再生フレームレート（例えば、30fps等）で再生させる（ステップＳ１）。このとき、第１表示制御部６ｂは、再生部６ａにより再生中の動画像の再生時間を取得し、所定の時間を表す単位毎に数字を用いて表した再生時間表示画像Ｅ１の画像データを表示部４に出力し、表示パネル４ａの所定位置（例えば、右下等）に表示させる。
なお、画像処理部は、例えば、再生対象の動画像を構成する複数のフレーム画像のうち、所定時間分のフレーム画像の復号処理を事前に行って所定の格納手段（例えば、メモリ２等）に格納しておくことで、第１再生制御部６ｅから指示されたフレーム画像を即座に表示パネル４ａに表示可能となっている。
【００３４】
次に、動作処理部６は、タッチパネル５ａ上の再生時間表示画像Ｅ１に対応する部分がユーザにより接触操作されたか否かを判定する（ステップＳ２）。
ここで、再生時間表示画像Ｅ１に対応する部分が接触操作されていないと判定されると（ステップＳ２；ＮＯ）、動作処理部６は、再生部６ａによる動画像の再生が終了したか否かを判定する（ステップＳ３）。
【００３５】
ステップＳ３にて、再生部６ａによる動画像の再生が終了していないと判定されると（ステップＳ３；ＮＯ）、動作処理部６は、処理をステップＳ２に戻し、タッチパネル５ａ上の再生時間表示画像Ｅ１に対応する部分が接触操作されたか否かを判定する処理を所定の時間間隔で繰り返し実行する。
一方、ステップＳ３にて、再生部６ａによる動画像の再生が終了したと判定されると（ステップＳ３；ＹＥＳ）、動作処理部６は、当該再生処理を終了する。
【００３６】
ステップＳ２にて、再生時間表示画像Ｅ１に対応する部分が接触操作されたと判定されると（ステップＳ２；ＹＥＳ）、第１再生制御部６ｅは、ユーザによって再生時間表示画像Ｅ１に対応する部分が接触操作された時点で表示パネル４ａに表示されているフレーム画像を表示させたまま当該動画像の再生を一時停止させる（ステップＳ４）。続けて、第１特定部６ｄは、タッチパネル５ａから出力された接触位置を原点として、そのＸＹ座標に係る位置信号を取得するとともに、ユーザによりタッチパネル５ａ上の再生時間表示画像Ｅ１に対応する部分が接触操作された時点の再生時間Ｔtouchを計時部（図示略）から取得する（ステップＳ５）。
【００３７】
次に、判別部６ｃは、再生時間表示画像Ｅ１に係る「時」、「分」、「秒」、「1/100秒」の単位のうち、タッチパネル５ａ上のユーザによる接触位置に対応する単位（例えば、「秒」等）を判別し、第１表示制御部６ｂは、判別された単位を識別表示させる（ステップＳ６）。これにより、判別された単位（例えば、「秒」）の数字の表示領域にドラムロールＤｓが表示される（図４（ａ）参照）。
【００３８】
続けて、第１特定部６ｄは、ユーザによってタッチパネル５ａが直線状にスライド操作されたか否かを判定する（ステップＳ７）。
ここで、タッチパネル５ａが直線状にスライド操作されたと判定されると（ステップＳ７；ＹＥＳ）、第１特定部６ｄは、タッチパネル５ａから逐次出力された接触位置ＹpositionのＸＹ座標に係る位置信号を取得する（ステップＳ８）。そして、第１特定部６ｄは、ユーザによるタッチパネル５ａの接触操作が開始されてから単位時間（例えば、一秒）が経過する毎に、単位時間当たりのスライド量をスライド速度Ｖ（px/s）として算出する（ステップＳ９）。
【００３９】
続けて、第１再生制御部６ｅは、タッチパネル５ａから出力された接触位置Ｙpositionにユーザにより接触操作された単位に対応する比率α（例えば、「秒」の場合、比率α＝1/Ｙnumber等）を乗算した値（α・Ｙposition）と、ユーザによりタッチパネル５ａが接触操作された時点の再生時間Ｔtouchとに基づいて、送り再生される時間を逐次算出する（ステップＳ１０）。そして、第１再生制御部６ｅは、算出された送り再生される時間に対応するフレーム画像を特定して、表示パネル４ａに表示させる。
このとき、第１表示制御部６ｂは、第１特定部６ｄにより取得された接触位置ＹpositionのＸＹ座標に係る位置信号に応じてドラムロールＤｓを回転させ、再生時間表示画像Ｅ１における、ユーザにより直線状のスライド操作が行われている単位（例えば、「秒」）の数字を更新する（ステップＳ１１）。同様に、第１表示制御部６ｂは、再生時間表示画像Ｅ１における、ユーザにより直線状のスライド操作が行われている単位（例えば、「秒」）以外の単位（例えば、「1/100秒」）の数字も、このスライド操作のスライド量に応じて更新させる。つまり、第１表示制御部６ｂは、第１特定部６ｄにより特定される直線状のスライド操作の態様に応じて第１再生制御部６ｅにより制御される動画像の再生速度に追随して、再生時間の表示（再生時間表示画像Ｅ１）を制御する。
【００４０】
次に、第１特定部６ｄは、ユーザによるタッチパネル５ａの接触操作が終了したか否かを判定する（ステップＳ１２）。
また、ステップＳ７にて、タッチパネル５ａが直線状にスライド操作されていないと判定されると（ステップＳ７；ＮＯ）、第１特定部６ｄは、ステップＳ８〜Ｓ１１の各処理をスキップして、ステップＳ１２に移行する。
【００４１】
ステップＳ１２にて、タッチパネル５ａの接触操作が終了していないと判定されると（ステップＳ１２；ＮＯ）、第１特定部６ｄは、処理をステップＳ７に戻し、タッチパネル５ａの接触操作が継続中は、それ以降の各処理を実行する。すなわち、上記したように、ステップＳ８〜Ｓ１１の各処理が逐次実行され、再生時間表示画像Ｅ１における、タッチパネル５ａ上のユーザによる接触位置に対応する単位毎に、直線状のスライド操作に応じた動画像の送り再生が行われる。
【００４２】
ステップＳ１２にて、タッチパネル５ａの接触操作が終了したと判定されると（ステップＳ１２；ＹＥＳ）、第１再生制御部６ｅは、接触操作が終了したと判定された時点（最終的にユーザによりタッチパネル５ａが接触操作されていた時点）で第１特定部６ｄにより算出されたスライド速度Ｖ（px/s）にユーザにより接触操作された単位に対応する比率αを乗算して、接触操作の終了後の動画像の再生速度α・Ｖを算出する（ステップＳ１３）。続けて、第１再生制御部６ｅは、算出された再生速度を維持したまま動画像を再生させる（ステップＳ１４）。
その後、動作処理部６は、処理をステップＳ２に戻す。
【００４３】
以上のように、実施形態１の表示装置１００によれば、タッチパネル５ａ上の表示パネル４ａに表示されている再生時間に対応する部分（再生時間表示画像Ｅ１）がユーザにより接触操作されると、再生時間の表示に係る所定の時間を表す単位（例えば、「時」、「分」、「秒」及び「１/100秒」等）を基準として動画像の再生速度を制御するので、ユーザにより接触操作される動画像の再生時間の表示に係る所定の時間を表す単位に応じて再生速度を変更して動画像を再生することができる。つまり、タッチパネル５ａ上のユーザによる接触操作が同じであっても、動画像の再生時間の表示に係る所定の時間を表す単位に応じて異なる再生速度で動画像を再生することができる。また、動画像の再生時間が、例えば、「時」、「分」、「秒」及び「１/100秒」等の単位により表されている場合に、タッチパネル５ａ上のユーザによる接触位置が再生時間の表示に係る「時」、「分」、「秒」及び「１/100秒」のうちの何れの単位に対応するかを判別して、判別された単位に応じた再生速度で動画像を再生することができる。
したがって、動画像の再生速度の変更度合を再生時間の表示に係る所定の時間を表す単位と対応付けることで、当該動画像の再生速度の変更度合をユーザに把握させ易くすることができる。
【００４４】
また、タッチパネル５ａ上のユーザによる直線状のスライド操作の態様、例えば、スライド速度等を特定し、特定された直線状のスライド操作の態様及び数字を用いて表された再生時間の表示に係る所定の時間を表す単位に基づいて、動画像の再生速度を制御するので、再生時間の表示に係る、例えば、「時」、「分」、「秒」及び「１/100秒」等の単位のうち、ユーザにより接触操作された単位毎に、タッチパネル５ａ上のユーザによる直線状のスライド操作の態様に応じて動画像の再生速度を変更することができる。したがって、ユーザが所望する再生速度の選択を、タッチパネル５ａ上の再生時間表示画像Ｅ１におけるユーザによる接触位置と、この接触位置からのユーザによる直線状のスライド操作の態様に応じて簡便に行うことができる。
また、タッチパネル５ａ上のユーザによる直線状のスライド操作のスライド方向を特定し、特定された直線状のスライド操作のスライド方向に基づいて、動画像の再生方向を制御するので、再生時間表示画像Ｅ１の数字の部分によって表される動画像の時の流れる方向をユーザに直感的に把握させることができ、直線状のスライド操作のスライド方向に応じて動画像の順方向或いは逆方向への再生を簡便に行うことができる。
【００４５】
また、タッチパネル５ａ上のユーザによるスライド操作の終了後、このスライド操作が終了した時点の再生速度を維持して動画像を再生するように当該動画像の再生を制御するので、ユーザによるスライド操作に応じて動画像を送り再生する際の再生速度と、この送り再生後の動画像の再生速度とを連動させることができ、ユーザが動画像を見ながら直感的な操作で再生速度を変更することができる。
【００４６】
また、動画像の再生時間を、この動画像の撮像フレームレートに応じて所定の時間を表す単位を異ならせて表示パネル４ａに表示させるので、異なる撮像フレームレートで撮影された動画像を再生可能な構成において、例えば、動画像の撮像フレームレートが相対的に高速の場合と低速の場合とで異なる単位を用いて再生時間を表示することができ、ユーザが動画像の再生速度を変更して所望するフレーム画像を検索する際の操作性の向上を図ることができる。
【００４７】
＜変形例１＞
以下に、実施形態１の表示装置１００の変形例１について説明する。
変形例１の表示装置は、タッチパネル５ａ上のユーザによる接触位置が対応する単位毎に、ユーザによりタッチパネル５ａ上がスライド操作されたときのスライド量に応じて再生部６ａによる動画像の再生速度を制御する。
【００４８】
例えば、ドラムロールの所定の時間を表す単位に応じた数字の間隔Ｙnumber（px）を基準とすると、ユーザによるタッチパネル５ａ上のスライド操作のスライド量に対する再生速度の比率β（倍速）は、単位が「時」では比率β＝60＊Ｙnumberとなり、単位が「分」では比率β＝Ｙnumberとなり、単位が「秒」では比率β＝Ｙnumber/60となり、単位が「1/10秒」では比率β＝Ｙnumber/600となり、単位が「1/100秒」では比率β＝Ｙnumber/6000となり、単位が「1/1000秒」では比率β＝Ｙnumber/60000となる。
そして、第１再生制御部６ｅは、ユーザによりタッチパネル５ａが接触操作された接触位置Ｙpositionにユーザにより接触操作された単位に対応する比率βを乗算した値（β・Ｙposition）を再生速度として算出する。
【００４９】
ここで、第１再生制御部６ｅは、タッチパネル５ａ上のユーザによる接触位置が対応する単位毎に、ユーザによりタッチパネル５ａが接触操作された接触位置Ｙpositionに比率βを乗算した値（β・Ｙposition）に、所定数を加算して再生速度を算出しても良い。
例えば、第１再生制御部６ｅは、所定数として、単位が「時」では「3600」を加算し、単位が「分」では「60」を加算し、単位が「秒」では「1」を加算し、単位が「1/10秒」では「0.1」を加算し、単位が「1/100秒」では「0.01」を加算し、単位が「1/1000秒」では「0.001」を加算する。これにより、第１再生制御部６ｅは、タッチパネル５ａ上の再生時間表示画像Ｅ１における各単位（例えば、「分」）に対応する部分がユーザにより接触操作されるだけで、接触操作された単位に対応する所定数（例えば、「60」）を再生速度（倍速）として算出する。
また、第１再生制御部６ｅは、例えば、タッチパネル５ａ上のユーザによる接触位置が対応する単位毎に指定された所定数を用いるのではなく、ユーザによりタッチパネル５ａが接触操作されていた時点での再生速度（例えば、等倍速の場合には、「1」等）を用いても良い。
【００５０】
したがって、タッチパネル５ａ上のユーザによる直線状のスライド操作のスライド量及び数字を用いて表された再生時間の表示に係る所定の時間を表す単位に基づいて、動画像の再生速度を制御するので、再生時間の表示に係る、例えば、「時」、「分」及び「秒」等の単位のうち、ユーザにより接触操作された単位毎に、タッチパネル５ａ上のユーザによる直線状のスライド操作のスライド量に応じて動画像の再生速度を変更することができる。
【００５１】
［実施形態２］
以下に、実施形態２の表示装置２００について、図５〜図７を参照して説明する。
図５は、本発明を適用した実施形態２の表示装置２００の概略構成を示すブロック図である。
なお、以下に説明する以外の点は、上記実施形態１の表示装置１００と略同様の構成及び機能をなし、その具体的な説明は省略する。
【００５２】
図５に示すように、動作処理部２０６は、再生部６ａと、第２表示制御部２０６ｂと、判別部６ｃと、第２特定部２０６ｄと、第２再生制御部２０６ｅとを具備している。
【００５３】
第２表示制御部２０６ｂは、第１表示制御部６ｂと略同様に、再生中の動画像の再生時間を表示パネル４ａに表示させる。
具体的には、第２表示制御部２０６ｂは、再生部６ａによる動画像の再生が開始されてから経過した時間（再生時間）を所定の時間を表す単位毎に回転体の回転角度を用いて表した再生時間表示画像Ｅ２の画像データを表示部４に出力し、表示パネル４ａの所定位置（例えば、右下等）にＯＳＤ表示させる（図７（ａ）参照）。
例えば、再生時間表示画像Ｅ２は、円形の回転体の外側に大小二つの環状の回転体が同心上に配置された構造をなしている（図７参照）。また、再生時間表示画像Ｅ２を構成する回転体の各々は、異なる所定の時間を表す単位が対応付けられている。図７（ａ）に示す再生時間表示画像Ｅ２は、円形の回転体が「1/100秒」の単位に対応し、小さい環状の回転体が「秒」の単位に対応し、大きい環状の回転体が「分」の単位に対応している。
なお、円形の回転体並びに大小二つの環状の回転体の各々と各単位との対応関係は、一例であってこれに限られるものではなく、適宜任意に変更可能である。また、再生時間表示画像Ｅ２を構成する回転体の形状は、一例であってこれに限られるものではなく、適宜任意に変更可能である。さらに、再生時間表示画像Ｅ２を構成する回転体の数は、所定の時間を表す単位の数に応じて適宜任意に変更可能である。
【００５４】
また、第２表示制御部２０６ｂは、第１表示制御部６ｂと略同様に、再生対象の動画像の再生時間を、この動画像の撮像フレームレートに応じて所定の時間を表す単位を異ならせて表示パネル４ａに表示させても良い。具体的には、第２表示制御部２０６ｂは、再生部６ａにより再生される動画像が撮影された際の撮像フレームレートが、例えば、1000fpsの場合には、「1/10秒」、「1/100秒」、「1/1000秒」の各単位で表された再生時間表示画像Ｅ２とし、また、120、240、480fpsの場合には、「秒」、「1/10秒」、「1/100秒」の各単位で表された再生時間表示画像Ｅ２とし、また、30fpsの場合には、「分」、「秒」、「1/100秒」の各単位で表された再生時間表示画像Ｅ２とする。
【００５５】
また、後述するように、タッチパネル５ａ上の表示パネル４ａに表示されている再生時間表示画像Ｅ２の所定の時間を表す単位に対応する部分がユーザにより接触操作されると、第２表示制御部２０６ｂは、判別部６ｃにより判別されたユーザにより接触操作された単位（例えば、「秒」）を識別可能に表示パネル４ａに表示させる。具体的には、第２表示制御部２０６ｂは、再生時間表示画像Ｅ２を構成する回転体のうち、ユーザにより接触操作された単位に対応する回転体（例えば、小さい環状の回転体）の色や明るさ等を識別可能に変更する（図７（ｂ）参照）。
また、再生時間表示画像Ｅ２を構成する回転体の各々は、動画像を送り再生する際にユーザにより接触操作される操作子として機能する。具体的には、回転体の各々の一回転は、対応付けられている所定の時間を表す単位の長さとなっている。例えば、図６に示す再生時間表示画像Ｅ２では、円形の回転体の一回転が「1/100秒」の長さに対応し、小さい環状の回転体の一回転が「１秒」の長さに対応し、大きい環状の回転体の一回転が「１分」の長さに対応している。
また、第２表示制御部２０６ｂは、ユーザにより接触操作された単位に対応する回転体を、ユーザによる円弧状のスライド操作に応じて所定方向に回転させる制御を行う。
【００５６】
例えば、図７（ｂ）に示すように、再生時間表示画像Ｅ２の「秒」の単位に対応する小さい環状の回転体がユーザにより接触操作されると、第２表示制御部２０６ｂは、小さい環状の回転体の色や明るさ等を変更して、識別可能に表示パネル４ａに表示させる。そして、ユーザが接触状態を維持したまま所定方向（例えば、右周り方向等）にスライド操作すると、第２表示制御部２０６ｂは、小さい環状の回転体を円弧状のスライド操作のスライド方向と同じ方向（例えば、右周り方向等）に回転させる。このとき、第２表示制御部２０６ｂは、再生時間表示画像Ｅ２における、ユーザによりスライド操作されている単位（例えば、「秒」）以外の単位（例えば、「分」や「1/100秒」）の回転体の回転角度も、「秒」の単位に対応する小さい環状の回転体の回転角度に応じて変化させる。
【００５７】
第２特定部（第２特定手段）２０６ｄは、タッチパネル５ａ上のユーザによる円弧状のスライド操作の態様を特定する。
ここで、円弧状のスライド操作とは、一回転未満、すなわち、円形を形成しない操作であっても良いし、一回転以上の回動操作であっても良い。
具体的には、例えば、ユーザによりタッチパネル５ａ上の再生時間表示画像Ｅ２に対応する部分（例えば、小さい環状の回転体等）を所定方向（例えば、右周り方向等）に回転させるようにスライド操作させると、第２特定部２０６ｄは、タッチパネル５ａから出力された接触位置のＸＹ座標に係る位置信号を逐次取得する。そして、第２特定部２０６ｄは、逐次取得された接触位置を回転体の回転中心を原点とする極座標系に配置し、単位時間当たりの回転角度θposition（例えば、一秒間に移動した画素数）を角速度ω（°/s）として算出する。
また、第２特定部２０６ｄは、タッチパネル５ａから逐次出力され、取得された接触位置のＸＹ座標に係る位置信号に基づいて、接触位置の単位時間当たりのＸ方向及びＹ方向の変位量を算出し、ユーザによる円弧状のスライド操作のスライド方向が右周り方向であるのか左周り方向であるのかを特定する。
また、第２特定部２０６ｄは、タッチパネル５ａ上のユーザによる円弧状のスライド操作の終了後、最終的にユーザによりタッチパネル５ａが接触操作されていた接触位置を取得する。そして、第２特定部２０６ｄは、タッチパネル５ａ上のユーザによる円弧状のスライド操作の開始から終了までのスライド量（角度の変化量）を算出する。
【００５８】
第２再生制御部２０６ｅは、第１再生制御部６ｅと略同様に、再生部６ａによる動画像の再生速度を制御する。
また、第２再生制御部２０６ｅは、タッチパネル５ａ上のユーザによる接触位置が対応する単位毎に、ユーザによりタッチパネル５ａ上が円弧状にスライド操作されたときのスライド量に応じて再生部６ａによる動画像の再生を制御する。具体的には、極座標系で１°に対応するユーザによるタッチパネル５ａ上の円弧状のスライド操作のスライド量に対して送り再生される時間の比率α（s/°）は、単位が「分」では比率α＝１/6となり、単位が「秒」では比率α＝1/360となり、単位が「1/10秒」では比率α＝1/3600となり、単位が「1/100秒」では比率α＝1/36000となり、単位が「1/1000秒」では比率α＝1/360000となる。そして、第２再生制御部２０６ｅは、第２特定部２０６ｄにより算出された回転角度θpositionにユーザにより接触操作された単位に対応する比率αを乗算した値（α・θposition）と、ユーザによりタッチパネル５ａが接触操作された時点の再生時間Ｔtouchとに基づいて、送り再生される時間を逐次算出する。
【００５９】
また、第２再生制御部２０６ｅは、タッチパネル５ａ上のユーザによる接触位置が対応する単位毎に、ユーザによりタッチパネル５ａ上が円弧状にスライド操作されたときの角速度に応じて再生部６ａによる動画像の再生を制御する。具体的には、第２再生制御部２０６ｅは、第２特定部２０６ｄにより逐次算出された単位時間当たりの回転角度θpositionである角速度ω（°/s）にユーザにより接触操作された単位に対応する比率αを乗算して、動画像を送り再生する際の再生速度α・ωを算出する。
また、第２再生制御部２０６ｅは、タッチパネル５ａ上のユーザによる円弧状のスライド操作の終了後（接触解除後）、このスライド操作が終了した時点の角速度に応じた再生フレームレートで動画像が再生されるように当該動画像の再生を制御する。例えば、第２再生制御部２０６ｅは、最終的にユーザによりタッチパネル５ａが接触操作された時点で第２特定部２０６ｄにより算出された角速度ω（°/s）にユーザにより接触操作された単位に対応する比率αを乗算して、円弧状のスライド操作の終了後（接触解除後）の動画像の再生速度α・ωを算出する。
【００６０】
また、第２再生制御部２０６ｅは、ユーザによりタッチパネル５ａ上が円弧状にスライド操作されたときのスライド方向に応じて再生部６ａによる動画像の再生を制御する。
ここで、再生時間表示画像Ｅ２を構成する各回転体は、時計回りである右周り方向が時の流れる方向を表している。第２再生制御部２０６ｅは、ユーザによるタッチパネル５ａ上の円弧状のスライド操作のスライド方向（回転方向）が右周り方向である場合には（図７（ｂ）参照）、動画像を順方向に送り再生するように再生部６ａを制御する。一方、第２再生制御部２０６ｅは、ユーザによるタッチパネル５ａ上の円弧状のスライド操作のスライド方向が左周り方向である場合には、動画像を逆方向に送り再生するように再生部６ａを制御する。
【００６１】
＜再生処理＞
次に、表示装置２００による再生処理について、図６及び図７を参照して説明する。
図６は、再生処理に係る動作の一例を示すフローチャートである。また、図７（ａ）は、再生処理における動画像の再生画面の一例を模式的に示す図であり、図７（ｂ）は、再生画面中の再生時間表示画像Ｅ２の一例を拡大して示す図である。
【００６２】
図６に示すように、先ず、画像記録部３に記録されている動画像のうち、ユーザによる操作入力部５の所定操作に基づいて再生対象となる動画像が指定されると、上記実施形態１の再生処理と略同様に、動作処理部２０６は、指定された動画像を画像記録部３から読み出して、図示しない画像処理部により復号された動画像を構成する複数のフレーム画像を表示部４に出力し、再生部６ａは、表示パネル４ａに表示される動画像を所定の再生フレームレート（例えば、30fps等）で再生させる（ステップＳ２１）。このとき、第２表示制御部２０６ｂは、再生部６ａにより再生中の動画像の再生時間を取得し、所定の時間を表す単位毎に回転体を用いて表した再生時間表示画像Ｅ２の画像データを表示部４に出力し、表示パネル４ａの所定位置（例えば、右下等）に表示させる。
【００６３】
次に、動作処理部２０６は、上記実施形態１の再生処理と略同様に、タッチパネル５ａ上の再生時間表示画像Ｅ２に対応する部分がユーザにより接触操作されたか否かを判定する（ステップＳ２２）。
ここで、再生時間表示画像Ｅ２に対応する部分が接触操作されていないと判定されると（ステップＳ２２；ＮＯ）、動作処理部２０６は、上記実施形態１の再生処理と略同様に、再生部６ａによる動画像の再生が終了したか否かを判定する（ステップＳ２３）。
【００６４】
ステップＳ２３にて、再生部６ａによる動画像の再生が終了していないと判定されると（ステップＳ２３；ＮＯ）、動作処理部２０６は、上記実施形態１の再生処理と略同様に、処理をステップＳ２２に戻し、タッチパネル５ａ上の再生時間表示画像Ｅ２に対応する部分が接触操作されたか否かを判定する処理を所定の時間間隔で繰り返し実行する。
一方、ステップＳ２３にて、再生部６ａによる動画像の再生が終了したと判定されると（ステップＳ２３；ＹＥＳ）、動作処理部２０６は、当該再生処理を終了する。
【００６５】
ステップＳ２２にて、再生時間表示画像Ｅ２に対応する部分が接触操作されたと判定されると（ステップＳ２２；ＹＥＳ）、第２再生制御部２０６ｅは、ユーザによって再生時間表示画像Ｅ２に対応する部分が接触操作された時点で表示パネル４ａに表示されているフレーム画像を表示させたまま当該動画像の再生を一時停止させる（ステップＳ２４）。続けて、第２特定部２０６ｄは、タッチパネル５ａから出力された接触位置のＸＹ座標に係る位置信号を取得するとともに、ユーザによりタッチパネル５ａ上の再生時間表示画像Ｅ２に対応する部分が接触操作された時点の再生時間Ｔtouchを計時部（図示略）から取得する（ステップＳ２５）。
【００６６】
次に、判別部６ｃは、再生時間表示画像Ｅ２に係る「分」、「秒」、「1/100秒」の単位のうち、タッチパネル５ａ上のユーザによる接触位置に対応する単位（例えば、「秒」等）を判別し、第２表示制御部２０６ｂは、判別された単位の回転体を識別表示させる（ステップＳ２６；図７（ｂ）参照）。
【００６７】
続けて、第２特定部２０６ｄは、ユーザによってタッチパネル５ａが円弧状にスライド操作されたか否かを判定する（ステップＳ２７）。
ここで、タッチパネル５ａが円弧状にスライド操作されたと判定されると（ステップＳ２７；ＹＥＳ）、第２特定部２０６ｄは、タッチパネル５ａから逐次出力された接触位置のＸＹ座標に係る位置信号を取得して、回転角度θpositionを算出する（ステップＳ２８）。そして、第２特定部２０６ｄは、ユーザによるタッチパネル５ａの接触操作が開始されてから単位時間（例えば、一秒）が経過する毎に、単位時間当たりの回転角度θpositionを角速度ω（°/s）として算出する（ステップＳ２９）。
【００６８】
続けて、第２再生制御部２０６ｅは、第２特定部２０６ｄにより算出された回転角度θpositionにユーザにより接触操作された単位に対応する比率α（例えば、「秒」の場合、比率α＝1/360等）を乗算した値（α・θposition）と、ユーザによりタッチパネル５ａが接触操作された時点の再生時間Ｔtouchとに基づいて、送り再生される時間を逐次算出する（ステップＳ３０）。そして、第２再生制御部２０６ｅは、上記実施形態１の再生処理と略同様に、算出された送り再生される時間に対応するフレーム画像を特定して、表示パネル４ａに表示させる。
このとき、第２表示制御部２０６ｂは、第２特定部２０６ｄにより取得された接触位置のＸＹ座標に係る位置信号に応じて、再生時間表示画像Ｅ２における、ユーザにより円弧状のスライド操作が行われている単位の回転体（例えば、「秒」の回転体）の回転角度を更新する（ステップＳ３１）。同様に、第２表示制御部２０６ｂは、ユーザにより円弧状のスライド操作が行われている回転体以外の回転体（例えば、「分」や「1/100秒」の回転体）の回転角度も、円弧状のスライド操作が行われている回転体の回転角度に応じて変化させる。つまり、第２表示制御部２０６ｂは、第２特定部２０６ｄにより特定される円弧状のスライド操作の態様に応じて第２再生制御部２０６ｅにより制御される動画像の再生速度に追随して、再生時間の表示（再生時間表示画像Ｅ２）を制御する。
【００６９】
次に、第２特定部２０６ｄは、上記実施形態１の再生処理と略同様に、ユーザによるタッチパネル５ａの接触操作が終了したか否かを判定する（ステップＳ３２）。
また、ステップＳ２７にて、タッチパネル５ａが円弧状にスライド操作されていないと判定されると（ステップＳ２７；ＮＯ）、第２特定部２０６ｄは、ステップＳ２８〜Ｓ３１の各処理をスキップして、ステップＳ３２に移行する。
【００７０】
ステップＳ３２にて、タッチパネル５ａの接触操作が終了していないと判定されると（ステップＳ３２；ＮＯ）、第２特定部２０６ｄは、処理をステップＳ２７に戻し、タッチパネル５ａの接触操作が継続中は、それ以降の各処理を実行する。すなわち、上記したように、ステップＳ２８〜Ｓ３１の各処理が逐次実行され、再生時間表示画像Ｅ２における、タッチパネル５ａ上のユーザによる接触位置に対応する単位毎に、円弧状のスライド操作に応じた動画像の送り再生が行われる。
【００７１】
ステップＳ３２にて、タッチパネル５ａの接触操作が終了したと判定されると（ステップＳ３２；ＹＥＳ）、第２再生制御部２０６ｅは、上記実施形態１の再生処理と略同様に、接触操作が終了したと判定された時点で第２特定部２０６ｄにより算出された角速度ω（°/s）にユーザにより接触操作された単位に対応する比率αを乗算して、接触操作の終了後の動画像の再生速度α・ωを算出する（ステップＳ３３）。続けて、第２再生制御部２０６ｅは、上記実施形態１の再生処理と略同様に、算出された再生速度を維持したまま動画像を再生させる（ステップＳ４２）。
その後、動作処理部２０６は、処理をステップＳ２２に戻す。
【００７２】
以上のように、実施形態２の表示装置２００によれば、上記実施形態１と同様に、ユーザにより接触操作される動画像の再生時間の表示（再生時間表示画像Ｅ２）に係る所定の時間を表す単位に応じて再生速度を変更して動画像を再生することができる。したがって、動画像の再生速度の変更度合を再生時間の表示に係る所定の時間を表す単位と対応付けることで、当該動画像の再生速度の変更度合をユーザに把握させ易くすることができる。
特に、タッチパネル５ａ上のユーザによる円弧状のスライド操作の態様、例えば、角速度や角度の変化量等を特定し、特定された円弧状のスライド操作の態様及び回転体の回転角度を用いて表された再生時間の表示に係る所定の時間を表す単位に基づいて、動画像の再生速度を制御するので、再生時間の表示に係る、例えば、「分」、「秒」及び「1/100秒」等の単位のうち、ユーザにより接触操作された単位毎に、タッチパネル５ａ上のユーザによる円弧状のスライド操作の態様に応じて動画像の再生速度を変更することができる。したがって、ユーザが所望する再生速度の選択を、タッチパネル５ａ上の再生時間表示画像Ｅ２におけるユーザによる接触位置と、この接触位置からのユーザによる円弧状のスライド操作の態様に応じて簡便に行うことができる。
また、タッチパネル５ａ上のユーザによる円弧状のスライド操作のスライド方向を特定し、特定された円弧状のスライド操作のスライド方向に基づいて、動画像の再生方向を制御するので、再生時間表示画像Ｅ２の回転体の回転方向によって表される動画像の時の流れる方向をユーザに直感的に把握させることができ、円弧状のスライド操作のスライド方向に応じて動画像の順方向或いは逆方向への再生を簡便に行うことができる。
【００７３】
なお、本発明は、上記実施形態１、２に限定されることなく、本発明の趣旨を逸脱しない範囲において、種々の改良並びに設計の変更を行っても良い。
例えば、動画像の再生時間を何れか一の所定の時間を表す単位により表しても良く、この場合、再生対象の動画像の撮像フレームレートに応じて所定の時間を表す単位を自動的に設定しても良い。具体的には、動画像の撮像フレームレートが、例えば、1000fpsの場合には、「1/100秒」の単位により再生時間を表し、また、120、240、480fpsの場合には、「1/10秒」の単位により再生時間を表し、また、30fpsの場合には、「秒」の単位により再生時間を表すようにしても良い。
【００７４】
また、上記実施形態１、２にあっては、再生処理にて、フレーム画像に対して所定位置（例えば、上下等）に映画フィルムを模してパーフォレーション（銀塩フィルムの縁に一定間隔で開けられている送り穴）を付加表示させ、動画像の再生速度に応じてパーフォレーションの移動速度を可変させて表示パネル４ａに表示させても良い。
【００７５】
さらに、表示装置１００、２００の構成は、上記実施形態１、２に例示したものは一例であり、これに限られるものではない。
【００７６】
加えて、上記実施形態１、２にあっては、再生手段、表示制御手段、再生制御手段としての機能を、中央制御部１の制御下にて、再生部６ａ、第１表示制御部６ｂ（第２表示制御部２０６ｂ）、第１再生制御部６ｅ（第２再生制御部２０６ｅ）が駆動することにより実現される構成としたが、これに限られるものではなく、中央制御部１のＣＰＵによって所定のプログラム等が実行されることにより実現される構成としても良い。
すなわち、プログラムメモリ（図示略）に、再生処理ルーチン、表示制御処理ルーチン、再生制御処理ルーチンを含むプログラムを記録しておく。そして、再生処理ルーチンにより中央制御部１のＣＰＵに、動画像を再生する機能を実現させるようにしても良い。また、表示制御処理ルーチンにより中央制御部１のＣＰＵに、動画像の再生時間を、所定の時間を表す単位により表示パネル４ａに表示する制御を行う機能を実現させるようにしても良い。また、再生制御処理ルーチンにより中央制御部１のＣＰＵに、タッチパネル５ａ上の表示パネル４ａに表示されている再生時間に対応する部分がユーザにより接触操作されると、再生時間の表示に係る所定の時間を表す単位を基準として、動画像の再生速度を制御する機能を実現させるようにしても良い。
【００７７】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００７８】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
ユーザにより接触操作されるタッチパネルを備える表示装置であって、
動画像を再生する再生手段と、
前記再生手段による動画像の再生時間を、所定の時間を表す単位により表示手段に表示する制御を行う表示制御手段と、
前記タッチパネル上の前記表示手段に表示されている前記再生時間に対応する部分がユーザにより接触操作されると、前記再生時間の表示に係る所定の時間を表す単位を基準として、前記再生手段による動画像の再生速度を制御する再生制御手段と、
を備えることを特徴とする表示装置。
＜請求項２＞
所定の時間を表す単位は、時、分、秒及び秒を１０のべき乗で除する単位のうちの少なくとも一を含み、
前記再生制御手段は、前記再生時間の表示に係る時、分、秒及び秒を１０のべき乗で除する単位のうちの少なくとも一の単位に応じた再生速度で動画像を再生するように前記再生手段を制御することを特徴とする請求項１に記載の表示装置。
＜請求項３＞
前記タッチパネル上のユーザによる接触位置が、前記再生時間の表示に係る時、分、秒及び秒を１０のべき乗で除する単位のうちの何れの単位に対応するかを判別する判別手段を更に備え、
前記再生制御手段は、前記判別手段により判別された時、分、秒及び秒を１０のべき乗で除する単位のうち、前記タッチパネル上のユーザによる接触位置が対応する単位に応じた再生速度で動画像を再生するように前記再生手段を制御することを特徴とする請求項２に記載の表示装置。
＜請求項４＞
前記表示制御手段は、前記再生時間を、数字を用いて前記表示手段に表示させ、
前記タッチパネル上のユーザによる直線状のスライド操作の態様を特定する第１特定手段を更に備え、
前記再生制御手段は、前記第１特定手段により特定された前記直線状のスライド操作の態様及び前記再生時間の表示に係る所定の時間を表す単位に基づいて、前記再生手段による動画像の再生速度を制御することを特徴とする請求項１〜３の何れか一項に記載の表示装置。
＜請求項５＞
前記第１特定手段は、前記直線状のスライド操作のスライド速度及びスライド量のうちの少なくとも一方を特定し、
前記再生制御手段は、前記第１特定手段により特定された前記直線状のスライド操作のスライド速度及びスライド量のうちの少なくとも一方に基づいて、前記再生手段による動画像の再生速度を制御することを特徴とする請求項４に記載の表示装置。
＜請求項６＞
前記第１特定手段は、前記直線状のスライド操作のスライド方向を特定し、
前記再生制御手段は、前記第１特定手段により特定された前記直線状のスライド操作のスライド方向に基づいて、前記再生手段による動画像の再生方向を制御することを特徴とする請求項４又は５に記載の表示装置。
＜請求項７＞
前記表示制御手段は、前記第１特定手段により特定される前記直線状のスライド操作の態様に応じて前記再生制御手段により制御される動画像の再生速度に追随して、前記再生時間の表示を制御することを特徴とする請求項４〜６の何れか一項に記載の表示装置。
＜請求項８＞
前記表示制御手段は、前記再生時間を、回転体の回転角度を用いて前記表示手段に表示させ、
前記タッチパネル上のユーザによる円弧状のスライド操作の態様を特定する第２特定手段を更に備え、
前記再生制御手段は、前記第２特定手段により特定された前記円弧状のスライド操作の態様及び前記再生時間の表示に係る所定の時間を表す単位に基づいて、前記再生手段による動画像の再生速度を制御することを特徴とする請求項１〜３の何れか一項に記載の表示装置。
＜請求項９＞
前記第２特定手段は、前記円弧状のスライド操作の角速度及び角度の変化量のうちの少なくとも一方を特定し、
前記再生制御手段は、前記第２特定手段により特定された前記円弧状のスライド操作の角速度及び角度の変化量のうちの少なくとも一方に基づいて、前記再生手段による動画像の再生速度を制御することを特徴とする請求項８に記載の表示装置。
＜請求項１０＞
前記第２特定手段は、前記円弧状のスライド操作のスライド方向を特定し、
前記再生制御手段は、前記第２特定手段により特定された前記円弧状のスライド操作のスライド方向に基づいて、前記再生手段による動画像の再生方向を制御することを特徴とする請求項８又は９に記載の表示装置。
＜請求項１１＞
前記表示制御手段は、前記第２特定手段により特定される前記円弧状のスライド操作の態様に応じて前記再生制御手段により制御される動画像の再生速度に追随して、前記再生時間の表示を制御することを特徴とする請求項８〜１０の何れか一項に記載の表示装置。
＜請求項１２＞
前記再生制御手段は、更に、前記タッチパネル上のユーザによるスライド操作の終了後、このスライド操作が終了した時点の再生速度を維持して動画像を再生するように前記再生手段を制御することを特徴とする請求項４〜１１の何れか一項に記載の表示装置。
＜請求項１３＞
前記再生手段は、異なる撮像フレームレートで撮影された動画像を再生可能に構成され、
前記表示制御手段は、前記再生手段による動画像の再生時間を、この動画像の撮像フレームレートに応じて所定の時間を表す単位を異ならせて前記表示手段に表示する制御を行うことを特徴とする請求項１〜１２の何れか一項に記載の表示装置。
＜請求項１４＞
前記再生制御手段は、前記タッチパネル上のユーザによる接触操作が同じであっても、前記再生時間の表示に係る所定の時間を表す単位に応じて異なる再生速度で動画像を再生するように前記再生手段を制御することを特徴とする請求項１〜１３の何れか一項に記載の表示装置。
＜請求項１５＞
ユーザにより接触操作されるタッチパネルを備える表示装置を用いた表示方法であって、
動画像を再生する処理と、
動画像の再生時間を、所定の時間を表す単位により表示手段に表示する制御を行う処理と、
前記タッチパネル上の前記表示手段に表示されている前記再生時間に対応する部分がユーザにより接触操作されると、前記再生時間の表示に係る所定の時間を表す単位を基準として、動画像の再生速度を制御する処理と、
を含むことを特徴とする表示方法。
＜請求項１６＞
ユーザにより接触操作されるタッチパネルを備える表示装置のコンピュータに、
動画像を再生する機能と、
動画像の再生時間を、所定の時間を表す単位により表示手段に表示する制御を行う機能と、
前記タッチパネル上の前記表示手段に表示されている前記再生時間に対応する部分がユーザにより接触操作されると、前記再生時間の表示に係る所定の時間を表す単位を基準として、動画像の再生速度を制御する機能と、
を実現させることを特徴とするプログラム。
【符号の説明】
【００７９】
１００、２００  表示装置
１          中央制御部
４          表示部
４ａ        表示パネル
５          操作入力部
５ａ        タッチパネル
６、２０６  動作処理部
６ａ        再生部
６ｂ        第１表示制御部
２０６ｂ    第２表示制御部
６ｃ        判別部
６ｄ        第１特定部
２０６ｄ    第２特定部
６ｅ        第１再生制御部
２０６ｅ    第２再生制御部
【図１】
0006468089.tif 000002
【図２】
0006468089.tif 000003
【図３】
0006468089.tif 000004
【図４】
0006468089.tif 000005
【図５】
0006468089.tif 000006
【図６】
0006468089.tif 000007
【図７】
0006468089.tif 000008